(57)【特許請求の範囲】
【請求項１】
キーキャップ、ケース、弾性体、弾性接触体、バランサーフレーム、及びプリント配線基板の上に設置されるベース体からなる薄形キーボードスイッチであって、
前記弾性体は、絶縁の弾性台と該弾性台の上の絶縁の弾性柱からなり、
前記弾性接触体は、前記弾性台の形状に応じた形状を有し、前記弾性柱の底面積は前記弾性台の頂面の面積よりも小さく、
前記ベース体の中央には、前記弾性接触体にフィットするベース溝が開設され、前記ベース体の４つの角には、内凹溝がそれぞれ開設され、
前記弾性接触体は、前記ベース溝内の底部に配置されて、前記プリント配線基板に電気的に接続され、
前記弾性体は、前記弾性台が前記ベース溝内で前記弾性接触体の上に配置されるとともに前記ベース溝内に配置され、
前記バランサーフレームは、前記ベース体の外側に取り付けられ、前記ベース体と前記ケースとの間に位置し、
前記ベース体の両側には、２つの第２係止爪が対称に設置され、
前記ベース体の４つの角には、内凹溝に対応する第２係止溝が更に設けられ、
４つの前記第２係止溝は、ベース体の両側辺に均一に位置し、
前記第２係止爪及び前記第２係止溝は、ベース体の隣り合う両側辺に位置し、
前記ケースの４つの角のそれぞれには、前記第２係止溝にフィットする第１係止爪が設けられ、
前記ケースの側辺には、前記第２係止爪にフィットする第１係止溝が設けられ、
前記第１係止爪および前記第２係止溝、並びに、前記第２係止爪および前記第１係止溝により、前記ケースと前記ベース体とは係止されて設置され、
前記ケースの中央には、前記弾性体にフィットする弾性穴が開設され、
前記弾性体は、前記弾性柱が前記弾性穴を介してケースから突出して前記キーキャップに連結され、
前記キーキャップは、前記バランサーフレームに取り付けられ、前記キーキャップの下方への押圧により前記弾性体が前記弾性接触体に作用して前記弾性接触体が前記プリント配線基板の上の回路に接続し、前記キーキャップの押圧が解放されると、弾性体による弾性回復作用により前記弾性接触体が前記回路から分離することを特徴とする薄形キーボードスイッチ。
【請求項２】
前記バランサーフレームは、第１バランサー枠及び第２バランサー枠を含み、
前記第２バランサー枠は、第１バランサー枠と交差して第１バランサー枠に可動に連結され、
前記第１バランサー枠の外壁及び第２バランサー枠の外壁のそれぞれには、２つの外回転軸が対称に設けられ、
前記第１バランサー枠の内壁の端部及び第２バランサー枠の内壁の端部のそれぞれには、２つの内回転軸が対称に設けられ、
前記内回転軸は、ベース体の内凹溝内に可動に取り付けられることを特徴とする請求項１に記載の薄形キーボードスイッチ。
【請求項３】
前記キーキャップの内部の側壁には、前記外回転軸に対応する４つの回転軸台が固着され、
前記回転軸台には、前記外回転軸にフィットする回転溝が開設され、
前記第１バランサー枠及び前記第２バランサー枠の前記外回転軸は、前記回転溝内に可動に取り付けられることを特徴とする請求項２に記載の薄形キーボードスイッチ。
【発明の詳細な説明】
【技術分野】
【０００１】
本発明は、電子製品の分野に関し、特に、薄形キーボードスイッチに関する。
【背景技術】
【０００２】
キーボードは、コンピュータにとって不可欠な部品となっており、コンピュータにおいて重要な役割を果たしている。科学技術の発展に伴い、キーボードの機能や性能は大幅に改善され、キーボードの厚さもますます薄くなってきている。しかしながら、従来のキーボードでは、ＰＣＢ回路基板上にキーボードの押しキーを設置してケースによって固定させることから、キーボードの厚さの改善を続行することができなくなっている。そのため、キーボードの厚さは一般に厚くて、パーソナルコンピュータの厚さを更に薄くすることができない。したがって、従来のキーボード構造の改良を続行する必要がある。
【発明の概要】
【発明が解決しようとする課題】
【０００３】
本発明の目的は、上記背景技術の問題点を解決可能な薄形キーボードスイッチを提供することである。
【課題を解決するための手段】
【０００４】
上記目的を達成するために、本発明は以下の技術案を提供する。薄形キーボードスイッチは、キーキャップ、ケース、弾性体、弾性接触体、バランサーフレーム、及びプリント配線基板上に設置されるベース体からなる。前記ベース体の中央には、弾性接触体にフィットするベース溝が開設される。前記ベース溝内の底部には、プリント配線基板に電気的に接続される弾性接触体が配置される。前記弾性接触体には、ベース溝内に位置する弾性体が配置される。前記バランサーフレームは、ベース体の外側に取り付けられ、ベース体とケースとの間に位置する。前記ケースとベース体とは係止されて設置される。前記弾性体は、ケースから突出してキーキャップに連結される。前記キーキャップは、バランサーフレームに取り付けられる。
【０００５】
本発明に対するさらなる案として、前記ベース体の４つの角には、４つの内凹溝が開設される。ベース体の両側には、２つの第２係止爪が対称に設置される。前記ベース体の４つの角には、内凹溝に対応する第２係止溝が更に設けられる。４つの第２係止溝は、ベース体の両側辺に均一に位置する。第２係止爪及び第２係止溝は、ベース体の隣り合う両側辺に位置する。
【０００６】
本発明に対するさらなる案として、前記バランサーフレームは、第１バランサー枠及び第２バランサー枠を含む。前記第２バランサー枠は、第１バランサー枠と交差して第１バランサー枠に可動に連結される。前記第１バランサー枠の外壁及び第２バランサー枠の外壁のそれぞれには、２つの外回転軸が対称に設けられる。第１バランサー枠の内壁の端部及び第２バランサー枠の内壁の端部のそれぞれには、２つの内回転軸が対称に設けられる。前記内回転軸は、ベース体の内凹溝内に可動に取り付けられる。
【０００７】
本発明に対するさらなる案として、前記弾性体は、絶縁された弾性柱及び弾性台からなる。弾性柱の先端は、ケースを貫通してキーキャップに連結される。弾性台は、弾性接触体に接触する。
【０００８】
本発明に対するさらなる案として、前記ケースの中央には、弾性体にフィットする弾性穴が開設される。ケースの４つの角のそれぞれには、第２係止溝にフィットする第１係止爪が設けられる。ケースの側辺には、第２係止爪にフィットする第１係止溝が設けられる。
【０００９】
本発明に対するさらなる案として、前記キーキャップの内部の側壁には、外回転軸に対応する４つの回転軸台が固着される。前記回転軸台には、外回転軸にフィットする回転溝が開設される。第１バランサー枠及び第２バランサー枠の外回転軸は、回転溝内に可動に取り付けられる。
【発明の効果】
【００１０】
従来技術に比べて、本発明は以下の有益な効果を奏する。本発明では、弾性体及び弾性接触体をベース体内に設置し、バランサーフレームをベース体の外側に設置するとともに、ベース体及びバランサーフレームのそれぞれをキーキャップ内に設置することで、キーボードの厚さを大幅に薄くし、キーボードの超薄型を実現する効果があり、作用効果に優れるとともにキーボードの美観を改善する。
【図面の簡単な説明】
【００１１】
【図１】薄形キーボードスイッチを示す分解斜視図である。
【図２】薄形キーボードスイッチのバランサーフレームを展開した様子を示す図である。
【発明を実施するための形態】
【００１２】
以下、本発明の実施例における図面を参照しながら、本発明の実施例における技術案について明確、完全に説明するが、説明される実施例は、本発明の実施例の一部に過ぎず、全ての実施例ではないことは明らかである。本発明の実施例に基づき、当業者が創造的な労働を経ることなく得られるすべての他の実施例は、何れも本発明が保護する範囲に属する。
【００１３】
図１〜図２に示すように、本発明の実施例に係る薄形キーボードスイッチは、キーキャップ７、ケース１、弾性体２、弾性接触体３、バランサーフレーム４、及びプリント配線基板（ＰＣＢ基板）６上に設置されるベース体５からなる。ベース体５の中央には、弾性接触体３にフィットするベース溝５４が開設される。ベース溝５４内の底部には、プリント配線基板６に電気的に接続される弾性接触体３が配置される。弾性接触体３上には、ベース溝５４内に位置する弾性体２が配置される。バランサーフレーム４は、ベース体５の外側に取り付けられるとともにベース体５とケース１との間に位置する。ケース１とベース体５とは係止されて設置される。弾性体２は、ケース１から突出してキーキャップ７に連結される。キーキャップ７は、バランサーフレーム４に取り付けられる。
【００１４】
ベース体５の４つの角には、４つの内凹溝５３が開設される。ベース体５の両側には、２つの第２係止爪５２が対称に設置される。ベース体５の４つの角には、内凹溝５３に対応する第２係止溝５１が更に設けられる。４つの第２係止溝５１は、ベース体５の両側辺に均一に位置する。第２係止爪５２及び第２係止溝５１は、ベース体５の隣り合う両側辺に位置する。
【００１５】
バランサーフレーム４は、第１バランサー枠４１及び第２バランサー枠４４を含む。第２バランサー枠４４は、第１バランサー枠４１と交差して第１バランサー枠４１に可動に連結される。第１バランサー枠４１の外壁及び第２バランサー枠４４の外壁のそれぞれには、２つの外回転軸４２が対称に設けられる。第１バランサー枠４１の内壁の端部及び第２バランサー枠４４の内壁の端部のそれぞれには、２つの内回転軸４３が対称に設けられる。内回転軸４３は、ベース体５の内凹溝５３内に可動に取り付けられる。
【００１６】
ケース１の中央には、弾性体２にフィットする弾性穴１１が開設される。ケース１の４つの角のそれぞれには、第２係止溝５１にフィットする第１係止爪１２が設けられる。ケース１の側辺には、第２係止爪５２にフィットする第１係止溝１３が設けられる。
【００１７】
キーキャップ７の内部の側壁には、外回転軸４２に対応する４つの回転軸台７１が固着される。回転軸台７１には、外回転軸４２にフィットする回転溝７２が開設される。第１バランサー枠４１及び第２バランサー枠４４の外回転軸４２は、回転溝７２内に可動に取り付けられる。
【００１８】
キーキャップ７を下方へ押圧することで、弾性体２が弾性接触体３に作用して弾性接触体３をプリント配線基板６上の回路に接続させ、これにより、回路の導通を実現する。キーキャップ７の押圧が解放されると、弾性体２による弾力回復作用により、弾性接触体３をプリント配線基板６上の回路から分離させる。
【００１９】
本発明では、弾性体２及び弾性接触体３をベース体５内に設置し、バランサーフレーム４をベース体５の外側に設置するとともに、ベース体５及びバランサーフレーム４のそれぞれをキーキャップ７内に設置することで、キーボードの厚さを大幅に薄くし、キーボードの超薄型を実現する効果があり、作用効果に優れるとともにキーボードの美観を改善する。
【００２０】
本発明が上述の例示した実施例の詳細に限定されるものではなく、本発明の趣旨又は基本的な特徴を逸脱しない範囲で他の具体的な形態により実現されることができることは、当業者には明らかであろう。したがって、どの視点から見ても、上述した実施例は、例示的なものに過ぎず、本発明を制限するものではない。本発明の範囲は、明細書ではなく、請求の範囲により決定される。したがって、請求項の均等物の意味及び範囲に入る全ての変更は、本発明の範囲に含まれることが意図されている。請求項における参照符号は、請求項を限定するものと解釈されるべきではない。
【００２１】
なお、本明細書は実施形態により説明されたが、各実施形態が１つの独立の技術案のみを含むことではないことは理解されるべきである。明確にするために上述した形態で明細書を説明したが、当業者は、明細書を全体として、各実施例の技術案が組み合わせられることで理解可能な他の実施形態を形成することを理解すべきである。
【符号の説明】
【００２２】
１  ケース
１１  弾性穴
１２  第１係止爪
１３  第１係止溝
２  弾性体
２１  弾性柱
２２  弾性台
３  弾性接触体
４  バランサーフレーム
４１  第１バランサー枠
４２  外回転軸
４３  内回転軸
４４  第２バランサー枠
５  ベース体
５１  第２係止溝
５２  第２係止爪
５３  内凹溝
５４  ベース溝
６  プリント配線基板
７  キーキャップ
７１  回転軸台
７２  回転溝
【図１】
0006585286.tif 000002
【図２】
0006585286.tif 000003